(57)【要約】      （修正有）【課題】柔軟性のある織物を使用して十分な撥水度・耐水度を有し、長期の繰り返し使用においても異臭を放つことのないシャンプークロスを提供する。【解決手段】合成繊維からなるシャンプークロスであって、コーティング又はラミネートによる目詰加工が施されておらず、撥水加工が施されていると共に、カレンダー加工が施され、撥水加工とカレンダー加工とが施され、目付が６０〜２５０ｇ／ｍ２、撥水度が３級以上、耐水度が２００ｍｍ以上、通気性が８ｃｍ３／（ｃｍ２・ｓｅｃ）以下である。【選択図】図１
0003216758.tif 000002
【実用新案登録請求の範囲】
【請求項１】
合成繊維織物からなるシャンプークロスであって、
コーティング又はラミネートによる目詰加工が施されておらず、撥水加工が施されていると共に、カレンダー加工が施され、
目付が６０〜２５０ｇ／ｍ２の範囲内であって、
ＪＩＳ Ｌ １０９２ スプレー試験による撥水度が３級以上であって、
ＪＩＳ Ｌ １０９２ Ａ法による耐水度が２００ｍｍ以上であって、
ＪＩＳ Ｌ １０９６ Ａ法による通気性が８ｃｍ３／（ｃｍ２・ｓｅｃ）以下であることを特徴とするシャンプークロス。
【請求項２】
前記合成繊維織物は、繊度５０〜２００デニールのマルチフィラメント糸を経糸及び緯糸に使用したマルチフィラメント織物であって、
繊度と織密度とから算出される経糸のカバーファクターと緯糸のカバーファクターとの合計値が１５００〜３５００の範囲内であることを特徴とする請求項１に記載のシャンプークロス。
【請求項３】
前記マルチフィラメント織物は、ポリエステル・マルチフィラメント織物であることを特徴とする請求項２に記載のシャンプークロス。
【請求項４】
抗菌加工が施されており、
ＪＩＳ Ｌ １０９２ 菌液吸収法（試験菌種：黄色ぶどう球菌）による抗菌活性値が２．２以上であることを特徴とする請求項１〜３のいずれか１つに記載のシャンプークロス。
【考案の詳細な説明】
【技術分野】
【０００１】
本考案は、シャンプークロスに関するものであり、特に、長期の使用においても異臭を放つことのないシャンプークロスに関するものである。
【背景技術】
【０００２】
理容・美容施設における洗髪の際には、洗髪される人の首から上半身を覆うシャンプークロスが使用される。このシャンプークロスは、洗髪中や濯ぎ中に洗剤や湯水が襟元から身体に伝わるのを防止し、また、洗髪される人の衣服が濡れるのを防いでいる。従って、シャンプークロスには、撥水度や耐水度などの基本性能が要求される。また、首に巻き付けて装着するので柔軟性が必要であり、身体に沿うようなドレープ性も要求される。
【０００３】
そこで、従来のシャンプークロスは、柔軟性のあるナイロンなどの合成繊維織物を使用し、これに防水コーティング又はラミネートを施して撥水度・耐水度を付与している。一方、このようなシャンプークロスは、何人もの顧客に繰り返し使用されるので、衛生面での配慮も必要であり洗濯耐久性も要求される。
【０００４】
しかし、理容・美容施設で使用されるシャンプークロスは、使用後に洗濯しているにも拘らず、長期の使用（例えば、１か月以上）によって異臭を放つという問題があった。異臭の原因は不明であるが、雑菌の繁殖などを抑制するためにシャンプークロスに抗菌加工を施すことが行われている。しかし、洗濯や抗菌加工によっても異臭の問題は解決していない。
【０００５】
これを解決する１つの方法としては、例えば、下記特許文献１に係る使い切りシャンプー・カット・ヘアダイクロスなどが考えられる。このシャンプー・カット・ヘアダイクロスは、不織布を使用して１回限りの使い切りとし、洗濯やアイロン掛け作業を無くすと共に、清潔性と快適性を満足するというものである。
【先行技術文献】
【特許文献】
【０００６】
【特許文献１】実用新案登録第３０２５８８９号公報
【考案の概要】
【考案が解決しようとする課題】
【０００７】
しかし、使い切りの不織布は異臭を放つこともなく衛生的ではあるが、業務用として使用するには撥水度・耐水度の点で十分ではない。従って、洗髪される人の衣服を濡らしてしまうことが多く、実用的なものとはいえなかった。
【０００８】
そこで、本考案は、以上のようなことに対処して、柔軟性のある織物を使用して十分な撥水度・耐水度を有し、長期の繰り返し使用においても異臭を放つことのないシャンプークロスを提供することを目的とする。
【課題を解決するための手段】
【０００９】
上記課題の解決にあたり、本考案者らは、鋭意研究の結果、合成繊維からなる長繊維織物を使用し、従来のコーティング加工を廃し、その替わりに撥水加工とカレンダー加工とを併用することにより、上記目的を達成できることを見出し本考案の完成に至った。
【００１０】
即ち、本考案に係るシャンプークロスは、請求項１の記載によると、
合成繊維織物からなるシャンプークロスであって、
コーティング又はラミネートによる目詰加工が施されておらず、撥水加工が施されていると共に、カレンダー加工が施され、
目付が６０〜２５０ｇ／ｍ２の範囲内であって、
ＪＩＳ Ｌ １０９２ スプレー試験による撥水度が３級以上であって、
ＪＩＳ Ｌ １０９２ Ａ法による耐水度が２００ｍｍ以上であって、
ＪＩＳ Ｌ １０９６ Ａ法による通気性が８ｃｍ３／（ｃｍ２・ｓｅｃ）以下であることを特徴とする。
【００１１】
また、本考案は、請求項２の記載によると、請求項１に記載のシャンプークロスであって、
前記合成繊維織物は、繊度５０〜２００デニールのマルチフィラメント糸を経糸及び緯糸に使用したマルチフィラメント織物であって、
繊度と織密度とから算出される経糸のカバーファクターと緯糸のカバーファクターとの合計値が１５００〜３５００の範囲内であることを特徴とする。
【００１２】
また、本考案は、請求項３の記載によると、請求項２に記載のシャンプークロスであって、
前記マルチフィラメント織物は、ポリエステル・マルチフィラメント織物であることを特徴とする。
【００１３】
また、本考案は、請求項４の記載によると、請求項１〜３のいずれか１つに記載のシャンプークロスであって、
抗菌加工が施されており、
ＪＩＳ Ｌ １０９２ 菌液吸収法（試験菌種：黄色ぶどう球菌）による抗菌活性値が２．２以上であることを特徴とする。
【考案の効果】
【００１４】
上記構成によれば、シャンプークロスは、合成繊維織物からなりコーティング又はラミネートによる目詰加工に替えて、撥水加工とカレンダー加工が施されている。このことにより、柔軟性を有すると共に撥水度と耐水度がシャンプークロスの要求性能を充たし、洗髪される人の衣服を濡らすことがない。また、コーティング又はラミネートを廃したことによると思われるが（後述する）、長期の繰り返し使用においても異臭を放つことがない。
【００１５】
また、上記構成によれば、シャンプークロスを構成する合成繊維織物は、繊度５０〜２００デニールのマルチフィラメント糸を経糸及び緯糸に使用したマルチフィラメント織物である。また、このマルチフィラメント織物は、繊度と織密度とから算出される経糸のカバーファクターと緯糸のカバーファクターとの合計値が１５００〜３５００の範囲内にある。このことにより、上記効果をより具体的に発揮することができる。
【００１６】
また、上記構成によれば、マルチフィラメント織物は、ポリエステル・マルチフィラメント織物であってもよい。更に、抗菌加工が施されていてもよい。このことにより、雑菌の繁殖を防止して上記効果をより具体的に発揮することができる。
【図面の簡単な説明】
【００１７】
【図１】本考案に係るシャンプークロスの一実施形態を示す正面図である。
【図２】図１のシャンプークロスを着用した状態を示す図である。
【図３】図２で着用したシャンプークロスの使用状態を示す図である。
【考案を実施するための形態】
【００１８】
以下、本考案に係るシャンプークロスを一実施形態により説明する。なお、本考案は、下記の実施形態にのみ限定されるものではない。
【００１９】
図１は、本考案に係るシャンプークロスの一実施形態を示す正面図である。シャンプークロス１０は、ポリエステル長繊維織物からなる２枚のシート１１、１２から構成されている。２枚のうちの面積の広いシート１１は、洗髪される人の肩・胴を被覆するものであって、その中央の切れ込み部には、洗髪される人の首に装着するためのバンド１３が設けられている。このバンド１３の開放両端部は、面ファスナー１３ａ、１３ｂとなっており、洗髪される人の首に密着するように調節される。
【００２０】
面積の狭いシート１２は、洗髪の際にシャンプーボールの中に挿入されて、洗髪される人の衣服が濡れるのを防ぎ、洗剤や湯水が外部にこぼれないようにするためのシートである。これらのシート１１、１２を構成する素材及び加工処理については後述する。
【００２１】
図２は、シャンプークロスを着用した状態を示す図である。洗髪される人Ａの上半身には、首に装着されたバンド１３を介して広いシート１１が被覆されている。また、狭いシート１２は、広いシート１１の外側に洗髪される人Ａの首から背中に向けて垂れ下がっている。
【００２２】
図３は、着用したシャンプークロスの使用状態を示す図である。洗髪される人Ａは、椅子２０に座った状態で仰向きの姿勢となり、シャンプーボール３０の首受部３１に首を載せて洗髪されている。図３においては、シャンプーボール３０を断面で表している。
【００２３】
図３において、洗髪される人Ａが洗髪されている状態において、広いシート１１は椅子２０に凭れた洗髪される人Ａの上半身を覆い、その衣服が濡れるのを防いでいる。一方、狭いシート１２はシャンプーボール３０の内部に挿入されており、洗髪用の洗剤やシャワーノズル３２からの湯水が洗髪される人Ａの身体の方に流れず、洗剤や湯水が外部にこぼれることがない。
【００２４】
このようにして使用されるシャンプークロス１０は、撥水度・耐水度があって洗髪される人Ａの身体や衣服が濡れることはないが、シャンプークロス１０の表面は湿潤する。特に、狭いシート１２はシャンプーボール３０の内部に挿入されており、相当に湿潤又は浸潤するものと思われる。従って、使用後のシャンプークロス１０は、乾燥され或いは洗濯してから乾燥されて、長期間使用される。
【００２５】
ここで、本考案を説明する前に、長期の使用（例えば、１か月以上）によってシャンプークロスに異臭が発生する原因について考察する。従来から広く使用されているシャンプークロスは、ナイロン長繊維織物に撥水度・耐水度を付与するためにコーティング又はラミネートによる目詰加工が施されている。一般に、コーティング又はラミネートの素材にはウレタン樹脂が使用されることが多い。
【００２６】
理容・美容施設においては、１回の使用後に汚れを落として乾燥し、数回に１回は洗濯を行っている。また、異臭が気になる施設では、毎回の使用後に洗濯を行うところもある。このようにして、乾燥や洗濯を行っていても異臭が発生しているのが現状である。
【００２７】
この異臭は、どのようなものであるかといえばアンモニア臭、或いは、アミン臭といわれる匂いに近いとされている。そこで考えられるのが、シャンプークロスに付着した汚れに雑菌が繁殖していることであった。また、理容・美容施設では水の使用は頻繁であり湿度が高く、乾燥しているつもりでも十分ではなく、雑菌が繁殖し易いとも考えられた。
【００２８】
これらのことから、現在ではシャンプークロスに抗菌加工を施すことが行われている。洗濯耐久性のある抗菌加工剤を織物に処理することにより、汚れが付着し湿度が高い状態で放置されても雑菌が繁殖せず、異臭が発生しないと考えられた。しかし、このような抗菌加工が通常に行われるようになっても、異臭の発生は解消していない。
【００２９】
そこで、本考案者らは発想を転換し、アンモニア臭やアミン臭の原因である窒素源に着目した。具体的には、従来のシャンプークロスに使われている素材における窒素源を検討した。その結果、構成素材であるナイロン織物、更に、目詰加工に使用されるウレタン樹脂に着目した。特に、ウレタン樹脂は湿潤状態で加水分解しやすく、アミンを発生し易いと考えられる。
【００３０】
本考案者らは、まず、ナイロン織物に替えてポリエステル織物を使用することとした。また、ウレタン樹脂による目詰加工に替わる撥水度・耐水度を付与する方法を検討した（後述する）。その結果、１か月以上の試験使用においても異臭が発生しないシャンプークロスを開発するに至った。更に、ポリエステル織物が好ましいが、これをナイロン織物に戻してウレタン樹脂による目詰加工に替わる撥水度・耐水度を付与した場合でも、異臭の発生が抑えられることを確認した。
【００３１】
以下、本考案に係るシャンプークロスの一実施形態を具体的に説明する。図１に示すシャンプークロス１０を構成する素材は、合成繊維からなるマルチフィラメント糸を経糸と緯糸に使用したマルチフィラメント織物を使用した。なお、素材は、どのようなものであってもよく、ポリエステル・マルチフィラメント織物やナイロン・マルチフィラメント織物などを使用することができる。なお、本実施形態においては、最も好ましいと考えられるポリエステル・マルチフィラメント織物を使用した。
【００３２】
また、本実施形態に使用するマルチフィラメント糸の繊度は、繊度５０〜２００デニール（Ｄ）のものであることが好ましく、経糸及び緯糸の両方に使用される。例えば、単糸繊度が１．５デニール（ｄ）であれば、５０デニール（Ｄ）のマルチフィラメント糸は３３本の単糸からなり、２００デニール（Ｄ）のマルチフィラメント糸は１３３本の単糸からなる。このような繊度のマルチフィラメント糸を使用することにより、高密度で目開きの小さな織物を織製することができる。
【００３３】
また、このようなマルチフィラメント糸を使って織製する織物の目付は、６０〜２５０ｇ／ｍ２の範囲内にあることが好ましい。目付がこの範囲にあることにより、洗髪される人の身体にフィットして衣服が濡れることを防ぐことができる。
【００３４】
本考案者らは、マルチフィラメント織物の織密度について考察し、本考案の目的の１つである耐水度とこれに関連する通気性を考慮して、繊度と織密度とから算出されるカバーファクターで制御することとした。その結果、経糸のカバーファクターと緯糸のカバーファクターとの合計値が１５００〜３５００の範囲内にあることが好ましく、１８００〜２８００の範囲内にあることがより好ましいことを確認した。
【００３５】
経糸・緯糸のカバーファクターの合計値が１５００より小さい場合には、通気性が大きくなり耐水度がシャンプークロスに要求される性能を十分に確保することができない。一方、経糸・緯糸のカバーファクターの合計値が３５００より大きい場合には、織物の風合いが硬くなり過ぎてシャンプークロスに要求される柔軟性とドレープ性を十分に確保することができない。
【００３６】
なお、本実施形態においては、経糸・緯糸共に７５デニール（Ｄ）のポリエステル・マルチフィラメント糸を使用し、経糸１２６本／インチ・緯糸１０８本／インチの平織物を織製した。このポリエステル・マルチフィラメント織物の目付は、８８ｇ／ｍ２であり、経糸・緯糸のカバーファクターの合計値は２０２６であった。
【００３７】
次に、このような条件で織製したマルチフィラメント織物は、通常の方法で精練されて染色される。その後、撥水加工と抗菌加工が施される。なお、柔軟剤や帯電防止剤などによる仕上加工を併用するようにしてもよい。
【００３８】
本実施形態で使用する撥水加工剤としては、洗濯に対する耐久性を有するものが好ましく、フッ素樹脂、脂肪酸アミド誘導体、シリコン樹脂、及び、ジルコニウム塩・ワツクスエマルジヨンなどを使用することができる。なお、本実施形態においては、フッ素樹脂エマルションであるＮＫＧＵＡＲＤ Ｓ−５６８（日華化学株式会社製）を３〜４％含有する処理液で処理した。撥水加工剤の付与方法はパディング、スプレーなど通常の方法でよい。撥水剤を付与後、通常の方法で乾燥を行ない、熱処理を行なう。熱処理の条件は使用する撥水剤により適宜選定すればよい。
【００３９】
また、本実施形態で使用する抗菌加工剤は、どのようなものであってもよいが、例えば、第４級アンモニウム塩、有機チッソイオウ系化合物などの有機系抗菌剤や、銀、酸化亜鉛などの無機系抗菌剤などを使用することができる。なお、本実施形態においては、有機チッソイオウ系抗菌剤であるマルカサイドＮＣ−１（大阪化成株式会社製）を１〜２％含有する処理液で処理した。抗菌加工剤による加工は、撥水加工剤による加工と同浴で行ってもよく、或いは、染色と同浴で行ってもよい。
【００４０】
次に、撥水加工と抗菌加工が施されたマルチフィラメント織物にカレンダー加工による目詰を行う。カレンダー加工の目的は、織物を熱ローラでプレスし、熱可塑性合成繊維の熱セツト性を利用して織物の目詰を行い、通気性を下げることにより耐水度を向上させることにある。本実施形態においては、カバーファクターが上記範囲にあるマルチフィラメント織物に撥水加工を施し、更にカレンダー加工することにより、シャンプークロスに要求される撥水度と耐水度を確保することができる。
【００４１】
カレンダー加工の温度条件と圧力条件は、加工する織物の素材と織組織などにより適宜選定すればよいが、例えば、温度１００〜２００℃、圧力５〜１００Ｋｇ／ｃｍ２であることが好ましい。なお、ポリエステル・マルチフィラメント織物は、熱可塑性合成繊維であるので、カレンダー加工による目詰は洗濯耐久性を有している。
【００４２】
次に、このようにして加工したマルチフィラメント織物が、シャンプークロスとして要求される撥水度・耐水度・通気性などの物性を備えているかを確認した。本考案者らの検討によれば、業務用のシャンプークロスの物性は、次のようなものである。まず、ＪＩＳ Ｌ １０９２ スプレー試験による撥水度は、初期に３級以上であれば良好であり、本考案においてはこれを条件とした。しかし、家庭洗濯１０回後において２級以上あれば実用的には問題のないことを確認している。また、ＪＩＳ Ｌ １０９２ Ａ法による耐水度は、２００ｍｍ以上あればよい。また、ＪＩＳ Ｌ １０９６ Ａ法による通気性は、８ｃｍ３／（ｃｍ２・ｓｅｃ）以下であればよい。
【００４３】
上述のようにして織製した本実施形態に係るマルチフィラメント織物の物性を確認したところ、撥水度は４級、耐水度は２８８ｍｍ、通期性は６．７ｃｍ３／（ｃｍ２・ｓｅｃ）であり、シャンプークロスとして十分な物性を示していた。なお、本実施形態に係るマルチフィラメント織物を家庭洗濯１００回行ったが、その撥水度は２級以上を維持していた。
【００４４】
次に、抗菌性を確認した。抗菌性の評価は、ＪＩＳ Ｌ １０９２ 菌液吸収法（試験菌種：黄色ぶどう球菌）による抗菌活性値が２．２以上あることを目安とした。上述のようにして織製した本実施形態に係るマルチフィラメント織物の抗菌活性値を確認したところ、洗濯前は５．１、家庭洗濯１０回後は５．７であり、充分な抗菌性を示していた。
【００４５】
最後に、本実施形態に係るシャンプークロスと従来のシャンプークロス（ナイロン織物にウレタンコーティングを施したもの）とを実際の美容施設で１か月間使用した後の異臭の発生を比較した。評価は、人による官能試験によって確認した。その結果、同一条件で複数回の使用と洗濯を繰り返したところ、従来のシャンプークロスは異臭の発生が確認されたが、本実施形態に係るシャンプークロスにおいては、異臭の発生を確認しなかった。
【００４６】
よって、本考案によれば、柔軟性のある織物を使用して十分な撥水度・耐水度を有し、長期の繰り返し使用においても異臭を放つことのないシャンプークロスを提供することができる。
【００４７】
なお、本考案の実施にあたり、上記実施形態に限らず次のような種々の変形例が挙げられる。
（１）上記実施形態においては、経糸・緯糸共にポリエステル・マルチフィラメント糸を使用するものであるが、これに限るものではなく、ナイロン・マルチフィラメント糸、或いは、マルチフィラメント糸以外の素材を使用するようにしてもよい。
（２）上記実施形態においては、撥水加工剤としてフッ素樹脂を使用するが、これに限るものではなく、シリコン樹脂、ワックスなどを使用するようにしてもよい。
（３）上記実施形態においては、抗菌加工剤として有機チッソイオウ系抗菌剤を使用するが、これに限るものではなく、第４級アンモニウム塩系や無機系など他の抗菌剤を使用するようにしてもよく、或いは、抗菌加工を併用しなくてもよい。
（４）上記実施形態においては、カレンダー加工を撥水加工や抗菌加工の後工程として行ったが、これに限るものではなく、カレンダー加工後に撥水加工や抗菌加工を行うようにしてもよい。
【符号の説明】
【００４８】
Ａ…洗髪される人、１０…シャンプークロス、１１、１２…シート、
１３…バンド、１３ａ、１３ｂ…面ファスナー、
２０…椅子、３０…シャンプーボール、３１…首受部、３２…シャワーノズル。
【図１】
0003216758.tif 000003
【図２】
0003216758.tif 000004
【図３】
0003216758.tif 000005